(57)【要約】【課題】原水と浄水を切り換えて吐出する浄水器では、原水吐出口と浄水吐出口が異なる位置に設けられていたので水の落下位置が異なり、使い難いという問題がある。【解決手段】水道蛇口３に接続されて原水を導入する原水導入口４、この原水導入口４に導入した原水の流れを切り換える切換弁５及びこの切換弁５を通じて導かれた原水を吐出する吐出口７を備えた本体１と、上記本体１に連設され、上記切換弁５を介して原水が導かれ、この原水を浄化する浄水部１０とを有し、上記浄水部１０で浄化された浄水を上記吐出口７に導いて、原水の吐出口と浄水の吐出口を共用した。【選択図】    図１
2004154751.tif 000002
【特許請求の範囲】
【請求項１】
原水と浄水を切り換えて吐出させる浄水器において、原水吐出口と浄水吐出口を共用したことを特徴とする浄水器。
【請求項２】
水道蛇口に接続されて原水を導入する原水導入口、この原水導入口に導入した原水の流れを切り換える切換弁及びこの切換弁を通じて導かれた原水を吐出する吐出口を備えた本体と、
上記本体に連設され、上記原水導入口の原水が上記切換弁を介して導かれてこの原水を浄化する浄水部と、
を有し、上記浄水部で浄化された浄水を上記吐出口に導いて、原水の吐出口と浄水の吐出口を共用したことを特徴とする請求項１に記載の浄水器。
【請求項３】
吐出口がストレート吐出口とシャワー吐出口とに区別されており、上記切換弁にて原水のストレート吐出とシャワー吐出とに切換可能な浄水器において、
浄水部を通過した浄水を上記ストレート吐出口とシャワー吐出口とに切り換えて送出可能にし、原水ストレートの出口と浄水ストレートの出口を共用するとともに、原水シャワーの出口と浄水シャワーの出口を共用したことを特徴とする請求項１又は請求項２に記載の浄水器。
【発明の詳細な説明】
【０００１】
【発明の属する技術分野】
本発明は、家庭用の水道蛇口に直結され、蛇口から出る原水をそのまま吐出する原水吐出と、バイパス的に接続されたカートリッジ等の浄水部を経て浄化された浄水を吐出する浄水吐出とに切換可能にした浄水器に関する。
【０００２】
【従来の技術】
一般に、蛇口直結型浄水器は、例えば特開平１０−１１８６４２号公報に示される通り、本体を水道蛇口に取り付け、この蛇口から導入した原水を切換弁を介して蛇口直下の本体底部に開口した原水吐出口より原水のまま吐出するとともに、上記本体の側部にフィルターカートリッジ等の塩素除去機能等を備える浄水部を連結し、上記切換弁の切り換えによって原水を浄水部に導いて浄化し、この浄水を浄水吐出口より吐出するようになっている。すなわち、切換弁を操作することにより、原水と浄水とに切り換える構造になっている。
また、他の浄水器として、例えば特開平７−１１６６５７号公報に開示されているように、吐出口がストレート吐出口とシャワー吐出口に区分されており、原水吐出の場合にストレート水とシャワー水とに切り換える構造のものも知られている。
【０００３】
【発明が解決しようとする課題】
しかしながら、上記いずれの浄水器であっても、原水の吐出は原水吐出口もしくはストレート吐出口又はシャワー吐出口より吐出されるとともに、浄水の吐出は、浄水部の下面に開口した別の浄水吐出口より吐出するようになっている。すなわち、原水吐出口と浄水吐出口は相互に異なる位置に設けられており、このような場合は、原水と浄水の出る位置、すなわち水の落下する位置が異なるので、原水と浄水を切り換えて調理や食器洗浄等をする場合、その都度洗う場所を移動しなければならず、使い勝手が良くないといった不具合があった。
本発明はこのような事情にもとづきなされたもので、その目的とするところは、原水と浄水の吐出口を共用にし、水の落下位置を一定にして使い勝手が良くなる浄水器を提供しようとするものである。
【０００４】
【課題を解決するための手段】
上記目的を達成するため請求項１の発明は、原水と浄水を切り換えて吐出させる浄水器において、原水吐出口と浄水吐出口を共用した浄水器が提供される。
本発明の好ましい態様は、水道蛇口に接続されて原水を導入する原水導入口、この原水導入口に導入した原水の流れを切り換える切換弁及びこの切換弁を通じて導かれた原水を吐出する吐出口を備えた本体と、上記本体に連設され上記原水導入口の原水が切換弁を介して導かれてこの原水を浄化する浄水部と、を有し、上記浄水部で浄化された浄水を上記吐出口に導いて、原水の吐出口と浄水の吐出口を共用した浄水器が提供される。
本発明の他の好ましい態様は、吐出口がストレート吐出口とシャワー吐出口とに分けられており、上記切換弁にて原水のストレート吐出とシャワー吐出とに切換可能な浄水器において、浄水部を通過した浄水を上記ストレート吐出口とシャワー吐出口とに切り換えて送出可能にし、原水ストレートの出口と浄水ストレートの出口に共用するとともに、原水シャワーの出口と浄水シャワーの出口に共用した浄水器が提供される。
このような構成の浄水器では、いずれの場合も、原水と浄水の吐出口が共用されているので、原水及び浄水の吐出位置が一定になり、水の落下位置が移動しないので、調理や食器洗いなどの台所仕事が容易になる。
【０００５】
【発明の実施の形態】
以下本発明について、第１の実施例を図１および図２にもとづき説明する。図１は蛇口直結型浄水器の外観及び流路系統を模式的に示す図、図２は切換弁の流体回路を示す図である。
図において、１は浄水器の本体であり、連結具２を介して水道蛇口３に直接取り付けられる。上記本体１には、蛇口３に連なる原水導入口４が形成されており、この下方に位置して切換弁５が設けられている。切換弁５はハンドル６によって操作される。また、切換弁５の下方位置には、本体１の下面に開口して吐出口７が形成されている。この場合の吐出口７はストレート水が出るようになっている。また、上記蛇口３の開口と原水導入口４及び吐出口７は、ほぼ同一垂直線上に位置して設けられている。
本体１の側方（図１では左側）には、浄水部１０が連設されている。浄水部１０は、例えば周知のようにフィルターカートリッジ１１を脱着可能に収容し、このカートリッジ１１に原水を通したときフィルターが原水に含まれる臭い成分、汚れ成分、残留塩素、トリハロメタン等を吸着濾過して浄化する作用を有する。なお、フィルターとしては、活性炭、中空糸膜、不織布、セラミックス、逆浸透膜などが知られている。また、浄水部１０としては、上記フィルターによる物理的吸着の池に、イオン交換樹脂などの媒体を用いる方式であってもよく、またはアスコルビン酸（ビタミンＣ）を原水に混ぜることによって残留塩素を中和するなどの化学反応的浄化手段を用いた浄水方式であってもよい。
上記浄水部１０は上記本体１に設けた切換弁５に対し、原水送り通路１２及び浄水戻り通路１２を介して連通されている。原水送り通路１２は原水を切換弁５から浄水部１０に送る往路であり、浄水戻り通路１３は浄水部１０で浄化された浄水を切換弁５に戻す復路である。
上記切換弁５は、図２に示す流体切換回路を構成している。すなわち、図２の例は、４ポート２位置切換弁として示されており、４が原水導入口、７が吐出口、１２が浄水部１０に向かう原水送り通路、１３が浄水部１０から戻る浄水戻り通路であって、それぞれ図１の符号に一致する。
【０００６】
上記の構成による浄水器について作用を説明する。
浄水器本体１を、図１のように蛇口３に接続して蛇口３を開けると、水道水（原水）が原水導入口４を経て切換弁５に導かれる。ハンドル６を操作して、切換弁５を図２の左側の回路状態にしたときは、原水導入口４の原水が切換弁５を経て吐出口６に導かれ、よって吐出口７から原水がストレート状に吐出される。
次に、ハンドル６を操作して切換弁５を動かし、図２の右側回路の状態に切り換えたときには、原水導入口４の原水が切換弁５を経て原水送り通路１２に連通される。よって原水導入口４の原水が浄水部１０に向かい、カートリッジ１１を通過して浄化される。このとき同時に浄水戻り通路１３が切換弁５を経て吐出口７に連通されるので、上記浄水部１０で浄化された浄水が吐出口７より吐出される。
このような浄水器であれば、原水も浄水も同じ吐出口７から吐出されることになるので、この下方で調理や洗い物をする場合、原水・浄水を切り換えても水の落下位置が一カ所になり、よって洗い物を移動させる必要がなくなるので、使い勝手が向上する。
【０００７】
次に、第２の実施例を図３及び図４にもとづき説明する。図３は蛇口直結型浄水器の外観及び流路系統を模式的に示す図、図４は切換弁の流体切換回路図である。
この実施例は、吐出口がストレート吐出口８とシャワー吐出口９に分かれており、吐出水をストレート水とシャワー水とに切換可能に構成されている形式の浄水器の例である。
図３に示す外観図において、本体１の下面には、ストレート吐出口８とシャワー吐出口９がそれぞれ形成されている。シャワー吐出口９は、前述した特開平７−１１６６５７号公報にも示されているように、ストレート吐出口８の周りを囲んだ散水板（図示しない）を通じて吐出されるようになっている。
図３において、その他の構成は図１と同一であってよいので同一番号を付して説明を省略する。
この場合、切換弁５は図４に示される流体回路構造となっている。すなわち、図４は５ポート４位置切換弁であり、４位置に切り替わるので、ハンドル６を９０度の角度づつ回転させて切り換えることができる。
ハンドル６操作で、図４に示す通り、左から１番目の回路状態に切り換えると、原水導入口４に導かれた原水は切換弁５を経てストレート吐出口８に導かれ、よってストレート吐出口８より原水がストレート状に吐出される。
ハンドル６を操作して、左から２番目の回路に切り換えた場合は、原水導入口４に導かれた原水は切換弁５を経てシャワー吐出口９に導かれ、よってシャワー吐出口９より原水がシャワー状に吐出される。
次にハンドル６の操作で３番目の回路に切り換えた場合は、原水導入口４が切換弁５を経て原水送り通路１２に連通されるので原水が浄水部１０に流れ込み、カートリッジ１１を通過して浄化される。このとき浄水戻り通路１３は切換弁５を経てストレート吐出口８に連通されるので、浄水がストレート吐出口８よりストレート状に吐出される。
さらに、ハンドル６の操作で４番目の回路に切り換えたときは、原水導入口４が切換弁５を経て原水送り通路１２と連通され、原水が浄水部１０に向かう。同時に浄水戻り通路１３が切換弁５を経てシャワー吐出口９に連通されので、浄水部１０で浄化された水がシャワー吐出口９よりシャワー状に吐出される。
【０００８】
上記のように、第２の実施例の場合も、ストレート吐出口８、シャワー吐出口９が、それぞれ原水と浄水とに共用されるから、原水と浄水を切り換えても水の出口が一定の位置になり、落下位置が変化せず、調理や洗い物がやり易くなる。
【０００９】
【発明の効果】
以上説明した通り本発明によれば、原水・浄水を切り換えて吐出させる浄水器において、原水吐出口と浄水吐出口を共用するようにしたから、水の落下位置が一定になり、浄水器の下方で調理や洗い物をする場合、その作業が容易になる。
【図面の簡単な説明】
【図１】本発明の第１の実施例を示し、蛇口直結型浄水器の外観及び流路系統を模式的に示す図
【図２】同実施例の切換弁の流体回路を示す図
【図３】本発明の第２の実施例を示し、蛇口直結型浄水器の外観及び流路系統を模式的に示す図
【図４】同実施例の切換弁の流体回路を示す図
【符号の説明】
１…浄水器本体
２…連結具
３…水道蛇口
４…原水導入口
５…切換弁
６…ハンドル
７…吐出口
８…ストレート吐出口
９…シャワー吐出口
１０…浄水部
１１…カートリッジ
１２…原水送り通路
１３…浄水戻り通路
【図１】
2004154751.tif 000003
【図２】
2004154751.tif 000004
【図３】
2004154751.tif 000005
【図４】
2004154751.tif 000006